(57)【要約】【課題】選択された機能を省電力状態から復帰させた場合において、本構成を有しない場合に比べて、復帰後の当該機能の処理状況に応じた最適な時期に、省電力モードへ移行させる。【解決手段】タイマ回路５６に、初期設定時間（１分）に加え、猶予設定時間（５分）を設定している。この猶予設定時間は、前記部分節電モード時に電源供給されるデバイスは、必要とされて電源供給されているものであり、何らかの理由で処理が遅延したことで、初期設定時間を経過してしまい、再度節電モードに入ることを防止するものである。すなわち、部分節電モードからの立上げ（特定デバイスの電源供給）時は、タイマ回路５６では、猶予設定時間を適用することで、不測の節電モード移行を回避するようにしている。【選択図】図６
2011180895.tif 000002
【特許請求の範囲】
【請求項１】
複数のデバイスを選択的に稼動させるための機能を指示する操作手段と、
それぞれデバイスへの電力の供給又は供給遮断を切り替える切替手段と、
電力を常時供給され、予め定めた初期設定時間を過ぎても前記デバイスの稼動がない場合に前記切替手段を制御して当該デバイスへの電力供給を遮断するように制御すると共に、前記操作手段による指示操作があった場合に、当該操作による前記機能の指示に基づき選択された電力供給遮断中のデバイスに対して、前記切替手段を制御して当該デバイスへの電力供給を再開するように制御する制御手段と、
前記制御手段により電力の供給が再開されたデバイスの稼動による前記機能の処理完了まで、前記初期設定時間が経過しても電力供給を継続する継続手段と、
を有する電力供給制御装置。
【請求項２】
前記初期設定時間よりも長い稼動猶予設定時間が経過しても、電力供給を再開されたデバイスの稼動が認識されない場合は、前記切替手段による電力供給の遮断を実行する請求項１記載の電力供給制御装置。
【請求項３】
前記操作手段は、同一機能の処理回数を入力する入力部を備え、当該入力部で入力された処理回数の処理終了を前記継続手段での処理完了と認識する請求項１又は請求項２記載の電力供給制御装置。
【請求項４】
前記電力供給を再開されたデバイスでの処理が完了し、かつ初期設定時間が経過した場合に、当該デバイスへの電力供給を遮断する旨を報知する報知手段と、前記報知手段による報知後に有効とされ、前記デバイスへの電力供給を継続するか遮断するかを選択する選択手段と、をさらに有する請求項１から請求項３の何れか１項記載の電力供給制御装置。
【請求項５】
前記機能を選択して、強制的に電力供給遮断状態に移行させる強制操作手段をさらに有する請求項１から請求項４の何れか１項記載の電力供給制御装置。
【請求項６】
画像読取手段を用いて原稿画像を読み取るスキャナ機能、前記画像読取手段で読み取った画像データを画像形成手段を用いて記録用紙へ画像を形成するコピー機能、前記画像読取手段で読み取った画像データ又は画像データ送受信手段で受け付けた画像データを前記画像形成手段を用いて記録用紙へ画像を形成するプリント機能、前記画像読取手段で読み取った画像データを前記画像データ送受信手段を用いて外部へ送信するファクシミリ送信機能、前記画像データ送受信手段で受け付けた画像データを前記画像形成手段を用いて記録用紙へ画像を形成するファクシミリ受信機能の何れかを指示する操作装置と、
を備え、
前記画像読取手段、前記画像形成手段、前記画像データ送受信手段を含むデバイスのそれぞれへの電力の供給又は供給遮断を切り替える切替手段と、
電力を常時供給され、予め定めた初期設定時間を過ぎても前記デバイスの稼動がない場合に前記切替手段を制御して当該デバイスへの電力供給を遮断するように制御すると共に、前記操作手段による指示操作があった場合に、当該操作による前記機能の指示に基づき選択された電力供給遮断中のデバイスに対して、前記切替手段を制御して当該デバイスへの電力供給を再開するように制御する制御手段と、
前記制御手段により電力の供給が再開されたデバイスの稼動による前記機能の処理完了まで、前記初期設定時間が経過しても電力供給を継続する継続手段と、を有する画像処理装置。
【請求項７】
前記初期設定時間よりも長い稼動猶予設定時間が経過しても、電力供給を再開されたデバイスの稼動が認識されない場合は、前記切替手段による電力供給の遮断を実行する請求項６記載の画像処理装置。
【請求項８】
前記操作手段は、同一機能の処理回数を入力する入力部を備え、当該入力部で入力された処理回数の処理終了を前記継続手段での処理完了と認識する請求項６又は請求項７記載の画像処理装置。
【請求項９】
前記電力供給を再開されたデバイスでの処理が完了し、かつ初期設定時間が経過した場合に、当該デバイスへの電力供給を遮断する旨を報知する報知手段と、前記報知手段による報知後に有効とされ、前記デバイスへの電力供給を継続するか遮断するかを選択する選択手段と、をさらに有する請求項６から請求項８の何れか１項記載の画像処理装置。
【請求項１０】
前記デバイス又は機能を選択して、強制的に電力供給遮断状態に移行させる強制操作手段をさらに有する請求項６から請求項９の何れか１項記載の画像処理装置。
【請求項１１】
コンピュータを、前記請求項１から請求項５の何れか１項記載の電力供給制御装置として実行させる電力供給制御プログラム。
【発明の詳細な説明】
【技術分野】
【０００１】
本発明は、電力供給制御装置、画像処理装置、電力供給制御プログラムに関する。
【背景技術】
【０００２】
特許文献１には、電源起動時又は電源起動時と同様の起動手順を必要とする省電力状態からの復帰時に、優先的に起動する機能を選択し、当該選択した機能に対応するプログラムを優先的に起動することが記載されている。なお、選択する機能は複数であってもよいことも記載されている。
【０００３】
特許文献２には、機能キーと装置を起動する電源キーが両方同時に押されたときは、選択された諸機能部だけに電力が供給されて起動することが記載されている。
【先行技術文献】
【特許文献】
【０００４】
【特許文献１】特開２００７−１９４８７６公報
【特許文献２】特開２００７−３３４０９４公報
【発明の概要】
【発明が解決しようとする課題】
【０００５】
本発明は、選択された機能を省電力状態から復帰させた場合において、本構成を有しない場合に比べて、復帰後の当該機能の処理状況に応じた最適な時期に、省電力モードへ移行させることができる電力供給制御装置、画像処理装置、電源供給制御プログラムを得ることが目的である。
【課題を解決するための手段】
【０００６】
請求項１に記載の発明は、複数のデバイスを選択的に稼動させるための機能を指示する操作手段と、それぞれデバイスへの電力の供給又は供給遮断を切り替える切替手段と、電力を常時供給され、予め定めた初期設定時間を過ぎても前記デバイスの稼動がない場合に前記切替手段を制御して当該デバイスへの電力供給を遮断するように制御すると共に、前記操作手段による指示操作があった場合に、当該操作による前記機能の指示に基づき選択された電力供給遮断中のデバイスに対して、前記切替手段を制御して当該デバイスへの電力供給を再開するように制御する制御手段と、前記制御手段により電力の供給が再開されたデバイスの稼動による前記機能の処理完了まで、前記初期設定時間が経過しても電力供給を継続する継続手段と、を有している。
【０００７】
請求項２に記載の発明は、前記請求項１に記載の発明において、前記初期設定時間よりも長い稼動猶予設定時間が経過しても、電力供給を再開されたデバイスの稼動が認識されない場合は、前記切替手段による電力供給の遮断を実行する。
【０００８】
請求項３に記載の発明は、前記請求項１又は請求項２に記載の発明において、前記操作手段は、同一機能の処理回数を入力する入力部を備え、当該入力部で入力された処理回数の処理終了を前記継続手段での処理完了と認識する。
【０００９】
請求項４に記載の発明は、前記請求項１〜請求項３の何れか１項記載の発明において、前記電力供給を再開されたデバイスでの処理が完了し、かつ初期設定時間が経過した場合に、当該デバイスへの電力供給を遮断する旨を報知する報知手段と、前記報知手段による報知後に有効とされ、前記デバイスへの電力供給を継続するか遮断するかを選択する選択手段と、をさらに有している。
【００１０】
請求項５に記載の発明は、前記請求項１〜請求項４の何れか１項記載の発明において、前記機能を選択して、強制的に電力供給遮断状態に移行させる強制操作手段をさらに有する。
【００１１】
請求項６に記載の発明は、画像読取手段を用いて原稿画像を読み取るスキャナ機能、前記画像読取手段で読み取った画像データを画像形成手段を用いて記録用紙へ画像を形成するコピー機能、前記画像読取手段で読み取った画像データ又は画像データ送受信手段で受け付けた画像データを前記画像形成手段を用いて記録用紙へ画像を形成するプリント機能、前記画像読取手段で読み取った画像データを前記画像データ送受信手段を用いて外部へ送信するファクシミリ送信機能、前記画像データ送受信手段で受け付けた画像データを前記画像形成手段を用いて記録用紙へ画像を形成するファクシミリ受信機能の何れかを指示する操作装置と、を備え、前記画像読取手段、前記画像形成手段、前記画像データ送受信手段を含むデバイスのそれぞれへの電力の供給又は供給遮断を切り替える切替手段と、電力を常時供給され、予め定めた初期設定時間を過ぎても前記デバイスの稼動がない場合に前記切替手段を制御して当該デバイスへの電力供給を遮断するように制御すると共に、前記操作手段による指示操作があった場合に、当該操作による前記機能の指示に基づき選択された電力供給遮断中のデバイスに対して、前記切替手段を制御して当該デバイスへの電力供給を再開するように制御する制御手段と、前記制御手段により電力の供給が再開されたデバイスの稼動による前記機能の処理完了まで、前記初期設定時間が経過しても電力供給を継続する継続手段と、を有している。
【００１２】
請求項７に記載の発明は、前記請求項６に記載の発明において、前記初期設定時間よりも長い稼動猶予設定時間が経過しても、電力供給を再開されたデバイスの稼動が認識されない場合は、前記切替手段による電力供給の遮断を実行する。
【００１３】
請求項８に記載の発明は、請求項６又は請求項７に記載の発明において、前記操作手段は、同一機能の処理回数を入力する入力部を備え、当該入力部で入力された処理回数の処理終了を前記継続手段での処理完了と認識する。
【００１４】
請求項９に記載の発明は、前記請求項６〜請求項８の何れか１項記載の発明において、前記電力供給を再開されたデバイスでの処理が完了し、かつ初期設定時間が経過した場合に、当該デバイスへの電力供給を遮断する旨を報知する報知手段と、前記報知手段による報知後に有効とされ、前記デバイスへの電力供給を継続するか遮断するかを選択する選択手段と、をさらに有する。
【００１５】
請求項１０に記載の発明は、前記請求項６〜請求項９の何れか１項記載の発明において、前記デバイス又は機能を選択して、強制的に電力供給遮断状態に移行させる強制操作手段をさらに有する。
【００１６】
請求項１１に記載の発明は、コンピュータを、前記請求項１〜請求項５の何れか１項記載の電力供給制御装置として実行させる電力供給制御プログラムである。
【発明の効果】
【００１７】
請求項１、請求項６、請求項１１に記載の発明によれば、選択された機能を省電力状態から復帰させた場合において、本構成を有しない場合に比べて、復帰後の当該機能の処理状況に応じた最適な時期に、省電力モードへ移行させることができる。
【００１８】
請求項２、請求項７記載の発明によれば、処理が完了する前に電力供給が遮断されることを防止することができる。
【００１９】
請求項３、請求項８記載の発明によれば、入力された処理回数の処理の終了を、禁止手段における処理の完了とすることができる。
【００２０】
請求項４、請求項９記載の発明によれば、電力供給を遮断する前に、事前に報知し、選択の余地を与えることができる。
【００２１】
請求項５、請求項１０記載の発明によれば、電力供給を遮断する出力デバイスを取捨選択することができる。
【図面の簡単な説明】
【００２２】
【図１】第１の実施の形態に係る画像処理装置の概略図である。
【図２】第１の実施の形態に係るメインコントローラのハード構成図である。
【図３】第１の実施の形態に係る電源制御回路の概略構成図である。
【図４】第１の実施の形態に係る画像処理装置のＵＩパネルの正面図である。
【図５Ａ】第１の実施の形態に係る電源制御回路における猶予設定時間による電源供給制御ルーチンを示すフローチャートである。
【図５Ｂ】第１の実施の形態に係る電源制御回路における初期設定時間による電源供給制御ルーチンを示すフローチャートである。
【図６】画像処理装置に指示する機能が、複写→読取で、節電状態から復帰させたときのタイミングチャートであり、（Ａ）は比較例、（Ｂ）は第１の実施の形態の一例である。
【図７】第２の実施の形態に係るメインコントローラと電源装置との概略構成図である。
【発明を実施するための形態】
【００２３】
（第１の実施の形態）
図１には、第１の実施の形態に係る画像処理装置１０が示されている。画像処理装置１０は、記録用紙に画像を形成する画像形成部１２と、原稿画像を読み取る画像読取部１４とを備えている。画像処理装置１０は、メインコントローラ１６を備えており、画像形成部１２の画像形成制御部２４と、画像読取部１４の画像読取制御部２６と接続されている。このメインコントローラ１６では、画像形成制御部２４及び画像読取制御部２６を制御して、画像読取部１４で読み取った原稿画像の画像データを一次的に記憶したり、画像形成部１２へ送出されるようになっている。
【００２４】
メインコントローラ１６には、インターネット等のネットワーク通信回線網２０及び電話回線網２２にそれぞれ接続されている。メインコントローラ１６は、例えば、ネットワーク通信回線網２０を介してホストコンピュータと接続され、画像データを受信したり、電話回線網２２を介してファクシミリ受信及びファクシミリ送信を実行する役目を有している。
【００２５】
画像形成部１２は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２６】
画像読取部１４は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２７】
図２は、メインコントントローラ１６の詳細構成図である。
【００２８】
メインコントローラ１６は、ＣＰＵ２８を中心に各ハード構成部品がバス接続されている。
【００２９】
すなわち、ＣＰＵ２８には、ＳＡＴＡライン３０を介してハードディスク（ＨＤＤ）３２が接続されている。
【００３０】
また、ＣＰＵ２８には、メモリバス３４を介して、システムＲＡＭ３６、プログラムＲＯＭ３８が接続されている。
【００３１】
さらに、ＣＰＵ２８には、第１のＰＣＩバス４０を介してユーザインターフェイス（ＵＩ）制御回路４２、ビデオインタフェース回路（Ｖ−Ｉ／Ｆ）４４が接続されている。
【００３２】
ＵＩ制御回路４２には、ＵＩパネル４６が接続され、Ｖ−Ｉ／Ｆ回路４４には、画像形成制御部２４及び画像読取部２６が接続されている。
【００３３】
また、ＣＰＵ２８には、第２のＰＣＩバス４８を介してネットワークＩ／Ｆ回路５０、電源制御回路５２が接続されている。ネットワークＩ／Ｆ５０には、ホストコンピュータ５４が接続されている。また、電源制御回路５２には、タイマ回路５６が接続されると共に、サブ電源スイッチステータス信号が入力されるようになっている。
【００３４】
以下に、サブ電源スイッチステータス信号について説明する。
【００３５】
第１の実施の形態では、画像処理装置１０の電力消費を軽減する目的で、非稼動時、かつ予め定めた条件が成立したときに、メインコントローラ１６を除く、各デバイス（主として、画像形成部１２、画像読取部１４を含む）への電源の供給を遮断するようにしている（なお、メインコントローラ１６においても、条件成立で電池等の蓄積電力で、必要最小限の動作させるようにしてもよい）。
【００３６】
この電源の供給又は供給遮断の制御を行うのが、電源制御回路５２である。電源制御回路５２では、電源の供給又は供給遮断を、各デバイスに接続される電源ラインに介在されたサブ電源スイッチ７０、８２、８４、８６、８８（図３参照）のオン・オフによって制御しており、ＵＩパネル４６の操作によって処理する機能が指示されたとき、当該サブ電源スイッチ５８、６０、６２、６４、６６の状態（ステータス信号）を受信することで、必要充分なデバイスに電源を供給する。
【００３７】
図３には、メインコントローラ１６（詳細には、図２の電源制御回路５２）による、デバイスへの電源供給又は供給遮断制御が実行される電源装置５８が示されている。
【００３８】
商用電源（ＡＣ電源）線６０には、メインスイッチ６２が介在されている。このメインスイッチ６２がオンすることで、電源装置５８の第１の電源部６４及び第２の電源部６６へ商用電源が供給される。
【００３９】
第１の電源部６４は、メインコントローラ１６に接続されている。このため、メインコントローラ１６は、常に商用電源を受けることになる。
【００４０】
一方、第２の電源部６６へ接続される電源線６８には、第１のサブ電源スイッチ７０（以下、「ＳＷ−１」という場合がある。）が介在されている。このＳＷ−１は、コントローラ１６（電源制御回路５２）に接続されている。メインコントローラ１６では、ＳＷ−１のオン・オフを制御する（電源制御信号１）。
【００４１】
また、第２の電源部６６は、各デバイス（画像形成部１２、画像読取部１４、ＵＩパネル４６、ファクシミリ７２）にそれぞれ別々の電源線７４、７６、７８、８０により電源を供給している。
【００４２】
ここで、電源線７４には、第２のサブ電源スイッチ８２（以下、「ＳＷ−２」という場合がある。）が介在され、電源線７６には、第３のサブ電源スイッチ８４（以下、「ＳＷ−３」という場合がある。）が介在され、電源線７８には、第４のサブ電源スイッチ８６（以下、「ＳＷ−４」という場合がある。）が介在され、電源線８０には、第５のサブ電源スイッチ８８（以下、「ＳＷ−５」という場合がある。）が介在されている。
このＳＷ−２〜ＳＷ−５は、それぞれコントローラ１６（電源制御回路５２）に接続されている。メインコントローラ１６では、ＳＷ−２〜ＳＷ−５のオン・オフを制御する（電源制御信号２〜５）。なお、ＵＩパネル４６においては、第１の実施の形態では、表示系（例えば、タッチパネルのバックライトやハードキーの照明光源等）への電源をオフするものであり、タッチパネルの入力系、ハードキーの操作は常に有効とされる。
【００４３】
図４は、ＵＩパネル４６の一例を示しており、横長のベース板９０のほぼ中央には、タッチパネル部９２が配置されている。タッチパネル部９２は、入力系と出力系とを兼ね備えており、ソフト的に操作入力領域が設定され、当該操作入力領域の機能を表示する。さらに、タッチパネル部９２は、図示しないバックライトが設けられており、特に表示系が液晶表示装置である場合に、表示内容を見やすくしている。
【００４４】
タッチパネル部９２の図４の右側には、テンキー９４及び機能キー９６が集約されたハードキーユニット９８が設けられている。ハードキーユニット９８は、文字通り、タッチパネル部９２とは異なり、物理的に押圧操作をして指示を入力するものである。近年では、当該ハードキーの操作キー毎に透過光源で照明する場合がある。
【００４５】
ハードキーユニット９８には、少なくとも、ファクシミリ機能、画像読取（スキャン）機能、画像複写（コピー）機能、画像形成（プリンタ）機能の各機能を指示する機能指示キー９６Ｂ、９６Ｃ、９６Ｄ、９６Ｅと、当該機能を開始するためのスタートキー９６Ｆ、機能を中止するためのストップキー９６Ｇが設けられている。
【００４６】
また、ハードキーユニット９８には、節電キー９６Ａが設けられており、この節電キー９６Ａを単独で操作することで、第１のサブ電源スイッチ（ＳＷ−１）７０が「オフ」状態となり、節電モードに入るようになっている。また、節電モード中に節電キー９６Ａが操作されると、ＳＷ−１が「オン」状態となり、通常モードに復帰する。
【００４７】
ところで、前述したように、第１の実施の形態では、デバイスの非稼動時、かつ予め定めた条件が成立したときに、各デバイス（前記サブ電源スイッチのオン・オフで電源供給が制御されるデバイス）への電源の供給を自動的に遮断するようにしている。
【００４８】
予め定めた条件とは、タイマ時間であり、初期設定時間は、１分（許容誤差を含む）としている。すなわち、デバイスが非稼動状態で１分が経過すると、メインコントローラ１６では、第１のサブ電源スイッチ７０をオフする。
【００４９】
ここで、第１の実施の形態では、ＳＷ−２〜ＳＷ−５を設けることで、節電モード中に、特定の機能を実行したいとき、当該特定の機能に必要なデバイスだけ電源を供給する制御を可能としている。すなわち、節電モード中に、特定の機能に該当するサブ電源スイッチのみをオンにした状態でＳＷ−１をオンすることで、他のデバイスには電源供給がなされない状態となる（部分節電モード）。
【００５０】
さらに、第１の実施の形態では、タイマ回路５６（図２参照）に、前記初期設定時間（１分）に加え、猶予設定時間（５分）を設定している。この猶予設定時間は、前記部分節電モード時に電源供給されるデバイスは、必要とされて電源供給されているものであり、何らかの理由で処理が遅延したことで、初期設定時間を経過してしまい、再度節電モードに入ることを防止するものである。すなわち、部分節電モードからの立上げ（特定デバイスの電源供給）時は、タイマ回路５６では、猶予設定時間を適用することで、不測の節電モード移行を回避するようにしている。
【００５１】
また、第１の実施の形態では、部分節電モード時に電源供給されるデバイスの使用回数を登録可能としている。この登録された使用回数が終了するまでは、タイマ回路５６のタイマ時間（初期設定時間、猶予設定時間）に関わらず、電源の供給を継続する。すなわち、例えば、ファクシミリ送信を３箇所へ行なう場合、１箇所目の処理が終わっても、タイマ回路５６を起動させず、３箇所目の処理が終了した時点で、タイマ回路を起動させる。
【００５２】
さらに、第１の実施の形態では、前記節電キーの操作時に、機能キーを同時操作することで、当該操作された機能キーの処理に必要なデバイスへの電源供給のみを遮断するようにしている（手動部分節電モード）。
【００５３】
以下に第１の実施の形態の作用を図５Ａ、図５Ｂのフローチャートに従い説明する。
【００５４】
まず、図５Ａのフローチャートに従い、猶予設定時間による電源供給制御ルーチンを説明する。
【００５５】
ステップ１００では、タイマリセットスタートする。なお、このときのタイマは猶予設定時間（５分）である。
【００５６】
次のステップ１０２では、機能実行の指示操作があったか否かが判断され、否定判定された場合は、ステップ１０４へ移行する。また、ステップ１０２で肯定判定されると、ステップ１０６へ移行して機能実行に必要なデバイスを選択し、次いでステップ１０８へ移行して必要なデバイスは給電中か否かが判断される。
【００５７】
このステップ１０８で否定判定されると、ステップ１１０へ移行して必要なデバイスへ電源供給を開始し、ステップ１１２へ移行する。また、ステップ１０８で肯定判定された場合は、ステップ１１２へ移行する。
【００５８】
ステップ１１２では、処理を実行し、次いで、ステップ１１４へ移行して、指定された機能の処理が完了したか否か（回数を含む）が判断される。このステップ１１４で肯定判定されると、図５Ｂの初期設定時間による電源供給制御ルーチンへ移行する。また、ステップ１１４で否定判定された場合は、ステップ１００へ戻る。
【００５９】
一方、ステップ１００で否定判定された場合に移行するステップ１０４では、タイムアップしたか否かが判断され、肯定判定されるとステップ１１６へ移行して非稼動のデバイスへの電源供給を遮断して、このルーチンは終了する。また、ステップ１０４で否定判定された場合は、ステップ１０２へ戻る。
【００６０】
次に、図５Ｂのフローチャートに従い、初期設定時間による電源供給制御ルーチンを説明する。
【００６１】
ステップ１１８では、タイマをリセットスタートする。このときのタイマは初期設定時間（１分）である。
【００６２】
次のステップ１２０では、機能実行の指示操作があったか否かが判断され、否定判定された場合は、ステップ１２２へ移行して、タイムアップしたか否かが判断され、肯定判定されるとステップ１２４へ移行して非稼動のデバイスへの電源供給を遮断して（全デバイスを含む）、このルーチンは終了する。また、ステップ１２２で否定判定された場合は、ステップ１２０へ戻る。
【００６３】
また、ステップ１２０で肯定判定されると、ステップ１２６へ移行して、機能実行に必要なデバイスを選択し、ステップ１２８へ移行する。
【００６４】
ステップ１２８では、処理を実行し、次いで、ステップ１３０へ移行して、指定された機能の処理が完了したか否か（回数を含む）が判断される。このステップ１３０で肯定判定されるとステップ１１８へ戻り、否定判定されると図５Ａの猶予設定時間による電源供給制御ルーチンへ移行する。
【００６５】
図６（Ａ）は、第１の実施の形態における実施例であり、機能の指示として、画像の複写処理、並びに画像読取処理であり、必要なデバイスが節電状態から復帰させたときのタイミングチャートであり、図６（Ｂ）は、その比較例である。
【００６６】
この図６からもわかるように、指示した機能が完了するまでは、節電状態に移行しないため、比較例のように、再度立上げのための時間を要することがない。このため、実施例（図６（Ａ））では、結果として、処理が完了した後、比較例（図６（Ｂ））よりも早く、節電状態へ移行される。
【００６７】
（第２の実施の形態）
図７は、第２の実施の形態に係る画像処理装置のメインコントローラ２００によって制御されるデバイス、並びにメインコントローラ２００、並びに各デバイスへ電源を供給するための電源装置２０２の電源ラインを主体とした概略構成図である。
【００６８】
図７に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６が接続されている。また、Ｉ／Ｏ２１０には、ハードディスク（ＨＤＤ）２１８が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理制御部１６の機能を実現してもよい。
【００６９】
Ｉ／Ｏ２１０には、タイマ回路２２０、通信回線Ｉ／Ｆ２２２が接続されている。さらに、Ｉ／Ｏ２１０には、画像読取制御部２２４、画像形成制御部２２６、画像複写制御部２２８、ファクシミリ受信制御部２３０、ファクシミリ送信制御部２３２が接続され、機能別に独立して制御するようになっている。
【００７０】
画像読取制御部２２４、画像形成制御部２２６、画像複写制御部２２８、ファクシミリ受信制御部２３０、ファクシミリ送信制御部２３２は、デバイス選択Ｉ／Ｆ２３４に接続されている。
【００７１】
デバイス選択Ｉ／Ｆ２３４は、ファクシミリ通信制御回路（モデム）２３６、画像読取部２３８、画像形成部２４０の各デバイスに接続され、前記画像読取制御部２２４、画像形成制御部２２６、画像複写制御部２２８、ファクシミリ受信制御部２３０、ファクシミリ送信制御部２３２における制御動作の実行に基づき、選択されるようになっている。
【００７２】
なお、前記タイマ回路２２０は、前記ファクシミリ通信制御回路２３６、画像読取部２３８、画像形成部２４０を節電状態（電源非供給状態）とするための契機として、初期設定時間、或いは猶予設定時間の計時を行うものである。
【００７３】
メインコントローラ２００及び各デバイス（ファクシミリ通信制御回路２３６、画像読取部２３８、画像形成部２４０）は、電源装置２０２から電源が供給される（図７の鎖線参照）。なお、図７では、電源線を１本の鎖線で示しているが、実際には２本〜３本の配線である。
【００７４】
商用電源２４２から引き込まれた入力電源線２４４は、メインスイッチ２４６に接続されている。メインスイッチ２４６がオンされることで、第１の電源部２４８及び第２の電源部２５０へ電力供給が可能となる。
【００７５】
第１の電源部２４８は、制御用電源生成部２４８Ａを備え、メインコントローラ２００の電源供給制御回路２５２に接続されている。電源供給制御回路２５２は、メインコントローラ２００に電源供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源供給線を導通/非導通させるためのスイッチング制御を行う（後述）。
【００７６】
一方、第２の電源部２５０へ接続される電源線２５４には、第１のサブ電源スイッチ２５６（以下、「ＳＷ−Ａ」という場合がある。）が介在されている。このＳＷ−Ａは、前記電源供給制御回路２５２で、オン・オフが制御されるようになっている。
【００７７】
また、第２の電源部２５０は、高電圧電源生成部（ＨＶＰＳ）２５０Ｈと低電圧電源生成部（ＬＶＰＳ）２５０Ｌを備えている。高電圧電源生成部（ＨＶＰＳ）２５０Ｈは主として画像形成部２４０の帯電部、現像部、転写部等で使用される電源である。
【００７８】
第２の電源部２５０の高電圧電源生成部（ＨＶＰＳ）２５０Ｈ及び低電圧電源生成部（ＬＶＰＳ）２５０Ｌは、選択的に、画像読取機能電源供給部２５８、画像形成機能電源供給部２６０、画像複写機能電源供給部２６２、ファクシミリ受信機能電源供給部２６４、ファクシミリ送信機能電源供給部２６６に接続されている。
【００７９】
画像読取機能電源供給部２５８は、低電圧電源生成部（ＬＶＰＳ）２５０Ｌを入力源として、第２のサブ電源スイッチ２６８（以下、「ＳＷ−Ｂ」という場合がある。）を介して、画像読取部２３８に接続されている。
【００８０】
画像形成機能電源供給部２６０は、高電圧電源生成部（ＨＶＰＳ）２５０Ｈと低電圧電源生成部（ＬＶＰＳ）２５０Ｌを入力源として、第３のサブ電源スイッチ２７０（以下、「ＳＷ−Ｃ」という場合がある。）を介して、画像形成部２４０に接続されている。
【００８１】
画像複写機能電源供給部２６２は、高電圧電源生成部（ＨＶＰＳ）２５０Ｈと低電圧電源生成部（ＬＶＰＳ）２５０Ｌを入力源として、第４のサブ電源スイッチ２７２（以下、「ＳＷ−Ｄ」という場合がある。）を介して、画像読取部２３８及び画像形成部２４０に接続されている。
【００８２】
ファクシミリ受信機能電源供給部２６４は、高電圧電源生成部（ＨＶＰＳ）２５０Ｈと低電圧電源生成部（ＬＶＰＳ）２５０Ｌを入力源として、第５のサブ電源スイッチ２７４（以下、「ＳＷ−Ｅ」という場合がある。）を介して、ファクシミリ通信制御回路２３６及び画像形成部２４０に接続されている。
【００８３】
前記第２のサブ電源スイッチ２６８、第２のサブ電源スイッチ２７０、第２のサブ電源スイッチ２７２、第２のサブ電源スイッチ２７４、第２のサブ電源スイッチ２７６は、それぞれ前記第１のサブ電源スイッチ２５６と同様に、メインコントローラ２００の電源供給制御回路２５２からの電源供給選択信号に基づいて、オン・オフ制御される。
【００８４】
ファクシミリ送信機能電源供給部２６６は、低電圧電源生成部（ＬＶＰＳ）２５０Ｌを入力源として、第６のサブ電源スイッチ２７６（以下、「ＳＷ−Ｆ」という場合がある。）を介して、画像読取部２３８に接続されている（通信レポート等の出力を除く）。
【００８５】
上記構成の第２の実施の形態では、機能別に各デバイス（ファクシミリ通信制御回路２３６、画像読取部２３８、画像形成部２４０）を選択した電源を供給し、指示された機能に不要なデバイスへの電源を供給しないため、必要最小限の電力で済む。
【００８６】
また、機能別に制御することで、それぞれの機能が終了するまでは節電状態にはなりにくく、頻繁に通常状態と節電状態とを繰り返し、かえって非効率な稼働となることを防止する。言い換えれば、指定された機能の処理が完了するまで、節電状態にせず、現状で待機する。
【符号の説明】
【００８７】
１０    画像処理装置
１２    画像形成部
１４    画像読取部
１６    メインコントローラ
２４    画像形成制御部
２６    画像読取制御部
２０    ネットワーク通信回線網
２２    電話回線網
２８    ＣＰＵ
３０    ＳＡＴＡライン
３２    ハードディスク（ＨＤＤ）
３４    メモリバス
３６    システムＲＡＭ
３８    プログラムＲＯＭ
４０    第１のＰＣＩバス
４２    ユーザインターフェイス（ＵＩ）制御回路
４４    ビデオインタフェース回路（Ｖ−Ｉ／Ｆ）
４６    ＵＩパネル
４８    第２のＰＣＩバス
５０    ネットワークＩ／Ｆ回路
５２    電源制御回路
５４    ホストコンピュータ
５８    電源装置
６０    商用電源（ＡＣ電源）線
６２    メインスイッチ
６４    第１の電源部
６６    第２の電源部
６８    電源線
７０    第１のサブ電源スイッチ７０（ＳＷ−１）
７２    ファクシミリ
７４、７６、７８、８０    電源線
８２    第２のサブ電源スイッチ（ＳＷ−２）
８４    第３のサブ電源スイッチ（ＳＷ−３）
８６    第４のサブ電源スイッチ（ＳＷ−４）
８８    第５のサブ電源スイッチ（ＳＷ−５）
９０    ベース板
９２    タッチパネル部
９４    テンキー
９６    機能キー
９８    ハードキーユニット
９６Ｂ、９６Ｃ、９６Ｄ、９６Ｅ    機能指示キー
９６Ｆ    スタートキー
９６Ｇ    ストップキー
９８    ハードキーユニット
９６Ａ    節電キー
【図１】
2011180895.tif 000003
【図２】
2011180895.tif 000004
【図３】
2011180895.tif 000005
【図４】
2011180895.tif 000006
【図５Ａ】
2011180895.tif 000007
【図５Ｂ】
2011180895.tif 000008
【図６】
2011180895.tif 000009
【図７】
2011180895.tif 000010